(57)【要約】【課題】屋根面の広範囲に渡って瓦と野地板との間の空間部における掃気及び排水を可能にし、以て、室内の温熱環境並びに涼しさの確保に寄与し、また、瓦桟自体の耐久性を向上させて瓦ずれ、漏水等の問題を惹起せず、延いては住宅の耐久性向上を図ることが可能な通気瓦桟工法を提供することを課題とする。【解決手段】瓦桟の適宜個所に離隔部２を設けることを特徴とする通気瓦桟工法である。好ましくは、前記離隔部２に、通気材３を挟み込む。前記通気材３としては、狭隘な通気路４を縦横に連設した樹脂製のもの、あるいは、プラスチックプレートに多数の中空円錐体を成形加工した通気プレートを、必要に応じて積層したものを用いることができる。【選択図】図２
2006161325.tif 000002
【特許請求の範囲】
【請求項１】
瓦桟の適宜個所に離隔部を設けることを特徴とする通気瓦桟工法。
【請求項２】
前記離隔部に通気材を挟み込む請求項１に記載の通気瓦桟工法。
【請求項３】
前記通気材は、狭隘な通気路を縦横に連設した樹脂製のものである請求項２に記載の通気瓦桟工法。
【請求項４】
前記通気材は、プラスチックプレートに多数の中空円錐体を成形加工した通気プレートを、必要に応じて積層したものである請求項２に記載の通気瓦桟工法。
【請求項５】
前記通気材上に、その両側の瓦桟に跨がる補強板を配置する請求項２乃至４のいずれかに記載の通気瓦桟工法。
【請求項６】
前記補強板は、その長寸側側辺の一方又は双方に下方に延びる引掛部が形成されている請求項５に記載の通気瓦桟工法。
【請求項７】
前記補強板は、予め前記通気材と一体化されている請求項５又は６に記載の通気瓦桟工法。
【請求項８】
前記離隔部を、上下の瓦桟においてずれるように配置する請求項１乃至７のいずれかに記載の通気瓦桟工法。
【発明の詳細な説明】
【技術分野】
【０００１】
本発明は通気瓦桟工法、より詳細には、引掛け桟瓦を葺く際に、瓦の爪を引掛けるために野地板上に固定される瓦桟の施工方法であって、瓦桟部分に通気性を持たせる通気瓦桟工法に関するものである。
【背景技術】
【０００２】
言うまでもなく瓦桟は、瓦屋根の瓦葺に当たり、瓦の爪を引掛けるために野地板上に打ち付けられるもので、通常、瓦桟はそれ以上の機能を果たすものではない。
【０００３】
ところで、殊に夏場において、室内の温熱環境並びに涼しさを確保するためには、室内はもとより、小屋裏の換気が極めて重要となるところから、小屋裏換気を企図した種々の構成が提案され、且つ、実用化され、それなりの成果を収めている。しかし、それらは棟部以外の屋根面における掃気、例えば、瓦下と野地板間の掃気にまで配慮したものではない。
【０００４】
また、雨水が瓦の下に浸入した場合に瓦桟の部分に水が貯まるが、その排水対策が十分になされていない。
【０００５】
このような瓦の下と野地板との間における通気不足、並びに、排水不十分に起因して、瓦桟や野地板が湿気を帯びてその耐久性が劣化し、その結果、瓦ずれや漏水が起こっていた。なお、瓦桟の下部に通水溝を形成するものが提唱されてはいるが、瓦桟の強度保持のためにその通水溝は余り大きくすることができないため、上記問題の解決策とはなり得ていない。
【０００６】
【特許文献１】特開２０００−１４５０２５号公報
【特許文献２】特開２０００−１７９１０４号公報
【特許文献３】特開２０００−１９９３１２号公報
【特許文献４】特開２００１−２０４８０号公報
【特許文献５】特開２００２−７０２４４号公報
【特許文献６】特開２００３−２６８９３５号公報
【特許文献７】特開２００４−１９０２１６号公報
【発明の開示】
【発明が解決しようとする課題】
【０００７】
本発明は、上述したような従来の瓦桟における問題を解決するためになされたもので、屋根面の広範囲に渡って瓦と野地板との間の空間部における掃気及び排水を可能にし、以て、室内の温熱環境並びに涼しさの確保に寄与し、また、瓦桟自体の耐久性を向上させて瓦ずれ、漏水等の問題を惹起せず、延いては住宅の耐久性向上を図ることが可能な通気瓦桟工法を提供することを課題とする。
【課題を解決するための手段】
【０００８】
上記課題を解決するための請求項１に係る発明は、瓦桟の適宜個所に離隔部を設けることを特徴とする通気瓦桟工法である。好ましくは、前記離隔部に、通気材を挟み込む。前記通気材としては、狭隘な通気路を縦横に連設した樹脂製のもの、あるいは、プラスチックプレートに多数の中空円錐体を成形加工した通気プレートを、必要に応じて積層したものを用いることができる。
【０００９】
上記課題を解決するための請求項５に係る発明は、前記通気材上に、その両側の瓦桟に跨がる補強板を配置するというものであり、前記補強板は、下方に延びる引掛部を有することがあり、また、現場で組み付けられる場合と予め前記通気材と一体化される場合とがある。
【００１０】
上記課題を解決するための請求項８に係る発明は、前記離隔部を、上下の瓦桟においてずれるように配置するというものである。
【発明の効果】
【００１１】
本発明に係る通気瓦桟工法によれば、瓦桟の適宜個所に離隔部を設け、通例その離隔部に通気材を挟み込むため、離隔部の部分において、自然通気と自然排水とが行われる。そのため、瓦桟や野地板の部分に水が貯まらず、また、通気性が良好となるために乾燥しやすく、それらの部材、延いては建物の耐久性が向上する。それだけでなく、瓦と野地板との間の空間における自然通気により、その部分の熱こもりがなくなり、以て小屋裏の温熱環境が改善される。
【００１２】
請求項５及び６に係る発明においては、通気材に補強手段が講じられるため、通気材が瓦の負荷によって変形することがなく、瓦を長期に渡って十分且つ適正に支持し得るという効果がある。
【発明を実施するための最良の形態】
【００１３】
本発明を実施するための最良の形態につき、添付図面に依拠して説明する。本発明に係る通気工法は、瓦桟１の適宜個所に離隔部２を設けることを特徴とする。
【００１４】
瓦桟１は、従来の場合と同様にして野地板６上（実際には、野地板６上に透湿防水シートが張られる。）に固定されるが、本発明における瓦桟１は横に一連ではなく、途中１個所又は複数個所に、適宜間隔の離隔部２を設ける。
【００１５】
離隔部２はそのまま開放しておくこともあるが、通例、そこに通気材３を挟み込む。勿論、場所によって開放される個所と通気材３が挟み込まれる個所とを混在させてもよい。
好ましくは離隔部２は、満遍のない通気を可能にするために、上下の瓦桟１同士で設置位置がずれるようにする。ここにおいて位置をずらすとは、上部の瓦桟１から下部の瓦桟１にかけて、一直線には並ばないという趣旨であって、必らずしも、すべての離隔部２が上下の瓦桟１間においてずれている必要はなく、隣り合ういくつかが同一直線上に設置される個所があってもよい。
【００１６】
通例、各離隔部２には通気材３が設置される。通気材３は、例えば、軽量の樹脂製で、口径がミリメートル単位（例えば縦横４×４ｍｍ）の狭隘な通気路４を縦横に連設したものとする。
【００１７】
あるいは通気材３は、プラスチックプレート８に多数の中空円錐体９を成形加工した通気プレート７で構成することもできる（図５）。その場合、必要に応じ（厚みを増すために）、通気プレート７を積層して構成することもある（図６）。
【００１８】
通気プレート７は、例えば厚さ０．１〜０．３ｍｍ程のポリプレピレン等のプラスチックプレート８に、エンボス加工等によって、先端部を平坦にした高さ５〜１０ｍｍ程の中空円錐体９を比較的密に設けたものである。図５に示す例では、各列の中空円錐体９を左右に少し宛ずれるように配置しているが、これを縦横に碁盤目状に並ぶようにしてもよく、また、このような規則的な配列ではなく、不規則な配列としてもよい。
【００１９】
通気プレート７を積層して構成する場合、通気プレート７は同じ向きに積層することもあるし（図６（Ａ））、逆向きに積層することもある（図６（Ｂ））。
【００２０】
樹脂製通気材３の場合、その強度は、重量のある瓦を受けるのに必らずしも十分なものとはいえない。そこで、設置時に、通気材３の上に金属製等の補強板５を被装することが好ましい。
【００２１】
補強板５は、離隔部２の両側の瓦桟１、１に跨がせて配置し、瓦桟１、１に釘止め等によって固定するが、その固定作業の際に、屋根勾配によって傾斜状態となる補強板５のずれ動きを防止するために、長寸側側辺の一方（図４（Ａ））又は双方（図４（Ｂ））を下方に延長して、引掛部５ａを形成することもある。なお、補強板５は、予め通気材３上面に固定しておくこともあるが、その場合においても、引掛部５ａは、ずれ動き防止に有効である。
【００２２】
瓦桟１を上記のように施工した場合、離隔部２の部分において、自然通気と自然排水とが可能となる。そのため瓦桟１や野地板６は、水気が貯まらないために乾燥しやすく、それらの部材、延いては建物の耐久性が向上する。それだけでなく、瓦と野地板６との間の空間における自然通気により、その部分の熱こもりがなくなり、以て小屋裏の温熱環境が改善される。
【００２３】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２４】
【図１】本発明に係る通気瓦桟工法の一実施形態を示す斜視図である。
【図２】本発明に係る通気瓦桟工法の一実施形態を示す要部斜視図である。
【図３】本発明に係る通気瓦桟工法の一実施形態を示すより詳細な要部斜視図である。
【図４】本発明に係る通気瓦桟工法において用いられる補強板の構成例を示す図である。
【図５】本発明に係る通気瓦桟工法において用いる通気材の構成例を示す図である。
【図６】本発明に係る通気瓦桟工法において用いる通気材の他の構成例を示す図である。
【符号の説明】
【００２５】
１    瓦桟
２    離隔部
３    通気材
４    通気路
５    補強板
５ａ  引掛部
６    野地板
７    通気プレート
８    プラスチックプレート
９    中空円錐体
【図１】
2006161325.tif 000003
【図２】
2006161325.tif 000004
【図３】
2006161325.tif 000005
【図４】
2006161325.tif 000006
【図５】
2006161325.tif 000007
【図６】
2006161325.tif 000008